(57)【要約】【課題】  光変調素子の数を減らしながら、さらにコストダウンを図ることを可能とする投写型映像表示装置を提供する。【解決手段】  投写型映像表示装置１００は、色分離部４０と、偏光調整素子６０と、液晶パネル７１Ｇと、液晶パネル７１ＲＢと、入射側偏光板７２ＲＢとを備える。偏光調整素子６０は、赤成分光Ｒを構成する第１偏光成分の量及び青成分光Ｂを構成する第１偏光成分の量が変わるように、偏光調整素子６０に入射する光の偏光を調整する。第１偏光成分は、入射側偏光板７２ＲＢを透過する偏光成分である。【選択図】  図１
2012237962.tif 000002
【特許請求の範囲】
【請求項１】
第１色成分光、第２色成分光及び第３色成分光を含む白色光を分離する色分離部と、
前記第２色成分光及び前記第３色成分光を含む合成光の光路上に設けられた偏光調整素子と、
第１信号値に基づいて、前記第１色成分光を変調する第１光変調素子と、
第２信号値に基づいて、前記第２色成分光を変調するとともに、第３信号値に基づいて、前記第３色成分光を変調する第２光変調素子と、
前記第２光変調素子の光入射側に設けられており、第１偏光成分を透過して、第２偏光成分を遮光する入射側偏光板とを備えており、
前記偏光調整素子は、前記第２色成分光を構成する前記第１偏光成分の量及び前記第３色成分光を構成する前記第１偏光成分の量が変わるように、前記偏光調整素子に入射する光の偏光を調整することを特徴とする投写型映像表示装置。
【請求項２】
１つのフレームは、２つのサブフレームによって構成されており、
前記偏光調整素子は、前記１つのフレーム内において、前記第２色成分光及び前記第３色成分光を構成する前記第１偏光成分が１つのサブフレーム内で混合されるように、前記偏光調整素子に入射する光の偏光を調整することを特徴とする請求項１に記載の投写型映像表示装置。
【請求項３】
１つのフレームは、２つのサブフレームによって構成されており、
前記第１光変調素子は、前記第１信号値に基づいて、前記２つのサブフレームのそれぞれにおいて前記投写型映像表示装置から出射される前記第１色成分光の光量が変化するように、前記第１色成分光を変調することを特徴とする請求項１に記載の投写型映像表示装置。
【請求項４】
１つのフレームは、２つのサブフレームによって構成されており、
前記第１光変調素子は、前記第２信号値及び前記第３信号値の比率に基づいて、前記２つのサブフレームのそれぞれにおいて前記投写型映像表示装置から出射される前記第１色成分光の光量が変化するように、前記第１色成分光を変調することを特徴とする請求項１に記載の投写型映像表示装置。
【請求項５】
１つのフレームは、２つのサブフレームによって構成されており、
前記第１信号値は、オリジナル信号値及び補間信号値を含み、
前記第１光変調素子は、一方のサブフレームにおいて、前記オリジナル信号値に基づいて前記第１色成分光を変調し、他方のサブフレームにおいて、前記補間信号値に基づいて前記第１色成分光を変調することを特徴とする請求項１に記載の投写型映像表示装置。
【請求項６】
前記色分離部の光入射側に設けられた分離前偏光調整素子をさらに備え、
前記色分離部は、前記色分離部に入射する光の偏光に応じて、前記白色成分光を分離し、
前記分離前偏光調整素子は、前記第１色成分光と前記第３色成分光とが前記色分離部によって異なる光路に分離されるように、前記第１色成分光及び前記第３色成分光の偏光を調整し、
前記分離前偏光調整素子は、前記第１色成分光が導かれる光路及び／又は前記第３色成分光が導かれる光路に前記第２色成分光が前記色分離部によって分離されるように、前記第２色成分光の偏光を調整することを特徴とする請求項１に記載の投写型映像表示装置。
【請求項７】
１つのフレームは、２つのサブフレームによって構成されており、
前記偏光調整素子は、前記第１信号値、前記第２信号値及び前記第３信号値に応じて、前記２つのフレームのそれぞれにおいて、前記第２色成分光を構成する前記第１偏光成分及び前記第３色成分光を構成する前記第１偏光成分を独立して制御することを特徴とする請求項１に記載の投写型映像表示装置。
【請求項８】
前記第１光変調素子から出射される前記第１色成分光の光量、前記第２光変調素子から出射される前記第２色成分光の光量及び前記第２光変調素子から出射される前記第３色成分光の光量を制御する光量制御部をさらに備え、
前記光量制御部は、サブフレームの切替えにおいて、前記第２光変調素子から光が出射されない期間を設けることを特徴とする請求項１に記載の投写型映像表示装置。
【請求項９】
前記光量制御部は、前記第１信号値、前記第２信号値及び前記第３信号値に応じて、前記第１光変調素子から出射される前記第１色成分光の光量を増大することを特徴とする請求項８に記載の投写型映像表示装置。
【請求項１０】
前記光量制御部は、前記第１信号値、前記第２信号値及び前記第３信号値に応じて、前記第２光変調素子から出射される前記第２色成分光及び／又は前記第３色成分光の光量を増大することを特徴とする請求項８に記載の投写型映像表示装置。
【発明の詳細な説明】
【技術分野】
【０００１】
本発明は、白色光源が発する白色光を複数の色成分光に分離した上で、各色成分光を変調する投写型映像表示装置に関する。
【背景技術】
【０００２】
従来、白色光源が発する白色光を３つの色成分光（赤成分光Ｒ、緑成分光Ｇ及び青成分光Ｂ）に分離する色分離部と、３つの色成分光をそれぞれ変調する３つの光変調素子とを有する投写型映像表示装置が知られている。
【０００３】
一方で、コスト削減を目的として、２つの光変調素子を有する投写型映像表示装置も提案されている。具体的には、色分離部は、白色光から１つの色成分光を分離するとともに、白色光から２つの色成分光の合成光を分離する。２つの色成分光の合成光の光路上には、２つの色成分光のそれぞれを時分割で出射するカラースイッチが設けられる（例えば、特許文献１）。
【先行技術文献】
【特許文献】
【０００４】
【特許文献１】特開２００２−２４４２０３号公報
【発明の概要】
【発明が解決しようとする課題】
【０００５】
ところで、一般的には、上述したカラースイッチは、液晶パネル及び偏光板によって構成される。また、光変調素子が液晶パネルである場合には、液晶パネルの光入射側に偏光板が設けられる。このように、上述した技術では、カラースイッチを構成する偏光板及び光変調素子の光入射側に設けられる偏光板が重複してしまう。
【０００６】
そこで、本発明は、上述した課題を解決するためになされたものであり、光変調素子の数を減らしながら、さらにコストダウンを図ることを可能とする投写型映像表示装置を提供することを目的とする。
【課題を解決するための手段】
【０００７】
第１の特徴に係る投写型映像表示装置（投写型映像表示装置１００）は、第１色成分光（例えば、緑成分光Ｇ）、第２色成分光（例えば、赤成分光Ｒ）及び第３色成分光（例えば、青成分光Ｂ）を含む白色光を分離する色分離部（色分離部４０）と、前記第２色成分光及び前記第３色成分光を含む合成光の光路上に設けられた偏光調整素子（偏光調整素子６０）と、第１信号値（例えば、緑入力信号Ｇｉｎ）に基づいて、前記第１色成分光を変調する第１光変調素子（液晶パネル７１Ｇ）と、第２信号値（例えば、赤入力信号Ｒｉｎ）に基づいて、前記第２色成分光を変調するとともに、第３信号値（例えば、青入力信号Ｂｉｎ）に基づいて、前記第３色成分光を変調する第２光変調素子（液晶パネル７１ＲＢ）と、前記第２光変調素子の光入射側に設けられており、第１偏光成分を透過して、第２偏光成分を遮光する入射側偏光板（入射側偏光板７２ＲＢ）とを備える。前記偏光調整素子は、前記第２色成分光を構成する前記第１偏光成分の量及び前記第３色成分光を構成する前記第１偏光成分の量が変わるように、前記偏光調整素子に入射する光の偏光を調整する。
【０００８】
第１の特徴において、１つのフレームは、２つのサブフレームによって構成される。前記偏光調整素子は、前記１つのフレーム内において、前記第２色成分光及び前記第３色成分光を構成する前記第１偏光成分が１つのサブフレーム内で混合されるように、前記偏光調整素子に入射する光の偏光を調整する。
【０００９】
第１の特徴において、１つのフレームは、２つのサブフレームによって構成される。前記第１光変調素子は、前記第１信号値に基づいて、前記２つのサブフレームのそれぞれにおいて前記投写型映像表示装置から出射される前記第１色成分光の光量が変化するように、前記第１色成分光を変調する。
【００１０】
第１の特徴において、１つのフレームは、２つのサブフレームによって構成される。前記第１光変調素子は、前記第２信号値及び前記第３信号値の比率に基づいて、前記２つのサブフレームのそれぞれにおいて前記投写型映像表示装置から出射される前記第１色成分光の光量が変化するように、前記第１色成分光を変調する。
【００１１】
第１の特徴において、１つのフレームは、２つのサブフレームによって構成される。前記第１信号値は、オリジナル信号値及び補間信号値を含む。前記第１光変調素子は、一方のサブフレームにおいて、前記オリジナル信号値に基づいて前記第１色成分光を変調し、他方のサブフレームにおいて、前記補間信号値に基づいて前記第１色成分光を変調する。
【００１２】
第１の特徴において、投写型映像表示装置は、前記色分離部の光入射側に設けられた分離前偏光調整素子をさらに備える。前記色分離部は、前記色分離部に入射する光の偏光に応じて、前記白色成分光を分離する。前記分離前偏光調整素子は、前記第１色成分光と前記第３色成分光とが前記色分離部によって異なる光路に分離されるように、前記第１色成分光及び前記第３色成分光の偏光を調整する。前記分離前偏光調整素子は、前記第１色成分光が導かれる光路及び／又は前記第３色成分光が導かれる光路に前記第２色成分光が前記色分離部によって分離されるように、前記第２色成分光の偏光を調整する。
【００１３】
第１の特徴において、１つのフレームは、２つのサブフレームによって構成される。前記偏光調整素子は、前記第１信号値、前記第２信号値及び前記第３信号値に応じて、前記２つのフレームのそれぞれにおいて、前記第２色成分光を構成する前記第１偏光成分及び前記第３色成分光を構成する前記第１偏光成分を独立して制御する。
【００１４】
第１の特徴において、投写型映像表示装置は、前記第１光変調素子から出射される前記第１色成分光の光量、前記第２光変調素子から出射される前記第２色成分光の光量及び前記第２光変調素子から出射される前記第３色成分光の光量を制御する光量制御部（制御部２２０）をさらに備える。前記光量制御部は、サブフレームの切替えにおいて、前記第２光変調素子から光が出射されない期間を設ける。
【００１５】
第１の特徴において、前記光量制御部は、前記第１信号値、前記第２信号値及び前記第３信号値に応じて、前記第１光変調素子から出射される前記第１色成分光の光量を増大する。
【００１６】
第１の特徴において、前記光量制御部は、前記第１信号値、前記第２信号値及び前記第３信号値に応じて、前記第２光変調素子から出射される前記第２色成分光及び／又は前記第３色成分光の光量を増大する。
【発明の効果】
【００１７】
本発明によれば、光変調素子の数を減らしながら、さらにコストダウンを図ることを可能とする投写型映像表示装置を提供することができる。
【図面の簡単な説明】
【００１８】
【図１】図１は、第１実施形態に係る投写型映像表示装置１００を示す図である。
【図２】図２は、第１実施形態に係る偏光調整素子６０を説明するための図である。
【図３】図３は、第１実施形態に係る偏光調整素子６０を説明するための図である。
【図４】図４は、第１実施形態に係る制御ユニット２００を示すブロック図である。
【図５】図５は、第１実施形態に係る制御例１を示す図である。
【図６】図６は、第１実施形態に係る制御例２を示す図である。
【図７】図７は、第１実施形態に係る制御例３を示す図である。
【図８】図８は、変更例１に係る偏光調整素子６０を説明するための図である。
【図９】図９は、変更例２に係る偏光調整素子６０を説明するための図である。
【図１０】図１０は、変更例３に係る制御例を示す図である。
【図１１】図１１は、変更例３に係る偏光調整素子６０を説明するための図である。
【図１２】図１２は、変更例３に係る色再現範囲を説明するための図である。
【図１３】図１３は、変更例４に係る投写型映像表示装置１００を示す図である。
【図１４】図１４は、変更例４に係る制御例を示す図である。
【図１５】図１５は、変更例４に係る他の制御例を示す図である。
【図１６】図１６は、変更例５に係る通常制御例を説明するための図である。
【図１７】図１７は、変更例５に係る通常制御例を説明するための図である。
【図１８】図１８は、変更例５に係る通常制御例を説明するための図である。
【図１９】図１９は、変更例５に係る高輝度制御例１を説明するための図である。
【図２０】図２０は、変更例５に係る高輝度制御例１を説明するための図である。
【図２１】図２１は、変更例５に係る高輝度制御例１を説明するための図である。
【図２２】図２２は、変更例５に係る高輝度制御例１の色再現範囲を説明するための図である。
【図２３】図２３は、変更例５に係る高輝度制御例２を説明するための図である。
【図２４】図２４は、変更例５に係る高輝度制御例２を説明するための図である。
【図２５】図２５は、変更例５に係る高輝度制御例２を説明するための図である。
【図２６】図２６は、変更例５に係る高輝度制御例２の色再現範囲を説明するための図である。
【図２７】図２７は、変更例６に係るγカーブの補正を説明するための図である。
【図２８】図２８は、変更例７に係る投写型映像表示装置１００を示す図である。
【発明を実施するための形態】
【００１９】
以下において、本発明の実施形態に係る投写型映像表示装置について、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［実施形態の概要］
実施形態に係る投写型映像表示装置は、第１色成分光、第２色成分光及び第３色成分光を含む白色光を分離する色分離部と、前記第２色成分光及び前記第３色成分光を含む合成光の光路上に設けられた偏光調整素子と、第１信号値に基づいて、前記第１色成分光を変調する第１光変調素子と、第２信号値に基づいて、前記第２色成分光を変調するとともに、第３信号値に基づいて、前記第３色成分光を変調する第２光変調素子と、前記第２光変調素子の光入射側に設けられており、第１偏光成分を透過して、第２偏光成分を遮光する入射側偏光板とを備える。前記偏光調整素子は、前記第２色成分光を構成する前記第１偏光成分の量及び前記第３色成分光を構成する前記第１偏光成分の量が変わるように、前記偏光調整素子に入射する光の偏光を調整する。
【００２２】
かかる特徴によれば、偏光調整素子は、第２色成分光及び第３色成分光を構成する第１偏光成分の量を調整する。すなわち、第２色成分光及び第３色成分光のそれぞれについて、入射側偏光板を透過して第２光変調素子に導かれる光量が調整される。
【００２３】
これによって、光変調素子の数を減らすことができる。また、偏光調整素子が偏光板を有する必要がないため、さらにコストダウンを図ることができる。
【００２４】
［第１実施形態］
（投写型映像表示装置の構成）
以下において、第１実施形態に係る投写型映像表示装置の構成について、図面を参照しながら説明する。図１は、第１実施形態に係る投写型映像表示装置１００の構成を示す図である。
【００２５】
図１に示すように、投写型映像表示装置１００は、光源１０と、フライアイレンズ２０と、ＰＢＳアレイ３０と、色分離部４０と、複数のミラー５０（ミラー５１及びミラー５２）と、偏光調整素子６０とを有する。投写型映像表示装置１００は、１対の液晶パネル７１（液晶パネル７１Ｇ、液晶パネル７１ＲＢ）と、１対の入射側偏光板７２（入射側偏光板７２Ｇ、入射側偏光板７２ＲＢ）と、１対の出射側偏光板７３（出射側偏光板７３Ｇ、出射側偏光板７３ＲＢ）とを有する。投写型映像表示装置１００は、合成部８０と、投写レンズユニット９０とを有する。なお、投写型映像表示装置１００は、必要なレンズ群（レンズ１１１、レンズ１１２、レンズ１１３）を有する。
【００２６】
光源１０は、白色光を出射するＵＨＰランプなどである。すなわち、光源１０が出射する白色光は、赤成分光Ｒ、緑成分光Ｇ及び青成分光Ｂを少なくとも含む。白色光は、黄成分光Ｙｅを含んでいる。
【００２７】
なお、第１実施形態において、緑成分光Ｇは、第１色成分光の一例であり、赤成分光Ｒは、第２色成分光の一例であり、青成分光Ｂは、第３色成分光の一例である。
【００２８】
フライアイレンズ２０は、光源１０が出射する白色光を均質化する素子である。詳細には、フライアイレンズ２０は、複数の微小レンズを有しており、各レンズから出射される光は、液晶パネル７１に照射される。
【００２９】
ＰＢＳアレイ３０は、光源１０が出射する白色光の偏光方向を揃える素子（Ｐｏｌａｒｉｚｅｄ  Ｂｅａｍ  Ｓｐｌｉｔｔｅｒ）である。例えば、ＰＢＳアレイ３０は、光源１０が出射する白色光の偏光方向をＹ軸方向（或いは、Ｚ軸方向）に揃える。
【００３０】
色分離部４０は、光源１０が出射する白色光を分離する。詳細には、色分離部４０は、第１色成分光（ここでは、緑成分光Ｇ）を白色光から分離するとともに、第２色成分光（ここでは、赤成分光Ｒ）及び第３色成分光（ここでは、青成分光Ｂ）を含む合成光を白色光から分離する。
【００３１】
ミラー５１は、第１色成分光（ここでは、緑成分光Ｇ）を液晶パネル７１Ｇ側に反射する。ミラー５２は、第２色成分光（ここでは、赤成分光Ｒ）及び第３色成分光（ここでは、青成分光Ｂ）を含む合成光を液晶パネル７１ＲＢ側に反射する。
【００３２】
偏光調整素子６０は、第２色成分光（ここでは、赤成分光Ｒ）及び第３色成分光（ここでは、青成分光Ｂ）を含む合成光の光路上に設けられる。具体的には、偏光調整素子６０は、偏光調整素子６０に入射する光の偏光を波長帯毎に制御する。
【００３３】
詳細には、偏光調整素子６０は、第２色成分光（ここでは、赤成分光Ｒ）を構成する第１偏光成分の量及び第３色成分光（ここでは、青成分光Ｂ）を構成する第１偏光成分の量が変わるように、偏光調整素子６０に入射する光の偏光を調整する。なお、第１偏光成分とは、後述する入射側偏光板７２を透過する偏光成分であることに留意すべきである。
【００３４】
例えば、偏光調整素子６０は、図２示すように、偏光調整素子６０に印加される電圧に応じて、偏光調整素子６０に入射する光の偏光を波長帯毎に制御する。偏光調整素子６０に電圧が印加されていない場合には、偏光調整素子６０は、第２色成分光（ここでは、赤成分光Ｒ）を第２偏光成分に調整して、第３色成分光（ここでは、青成分光Ｂ）を第１偏光成分に調整する。従って、第３色成分光（ここでは、青成分光Ｂ）は、入射側偏光板７２を透過して液晶パネル７１に導かれる。一方で、偏光調整素子６０に電圧が印加されている場合には、偏光調整素子６０は、第３色成分光（ここでは、青成分光Ｂ）を第２偏光成分に調整して、第２色成分光（ここでは、赤成分光Ｒ）を第１偏光成分に調整する。従って、第２色成分光（ここでは、赤成分光Ｒ）は、入射側偏光板７２を透過して液晶パネル７１に導かれる。
【００３５】
例えば、偏光調整素子６０に印加される電圧のオン／オフによって偏光を調整する特性が切り替わる波長は、図３に示すように、黄成分光Ｙｅの波長帯に跨っている。これによって、偏光調整素子６０に電圧が印加されていない場合に、黄成分光Ｙｅの一部（短波長側）が青成分光Ｂに重畳される。また、偏光調整素子６０に電圧が印加されている場合に、黄成分光Ｙｅが赤成分光Ｒに重畳される。
【００３６】
なお、図３の縦軸は、偏光調整素子６０から出射される第１偏光成分の強度を示している。また、図３の横軸は、色成分光の波長を示している。
【００３７】
なお、色分離部４０の特性（カットオフ波長）によっては、黄成分光Ｙｅが緑成分光Ｇに重畳されてもよい。
【００３８】
液晶パネル７１Ｇは、緑入力信号Ｇｉｎ（緑出力信号Ｇｏｕｔ）に基づいて緑成分光Ｇを変調する。液晶パネル７１Ｇの光入射側には、第１偏光成分を有する光透過して、第２偏光成分を有する光を遮光する入射側偏光板７２Ｇが設けられる。一方で、液晶パネル７１Ｇの光出射側には、第１偏光成分を有する透過して、第２偏光成分を有する光を遮光する出射側偏光板７３Ｇが設けられる。
【００３９】
なお、第１実施形態において、液晶パネル７１Ｇは、第１信号値（ここでは、緑入力信号Ｇｉｎ）に基づいて、第１色成分光（ここでは、緑成分光Ｇ）を変調する第１光変調素子の一例である。
【００４０】
液晶パネル７１ＲＢは、赤入力信号Ｒｉｎ（赤出力信号Ｒｏｕｔ）に基づいて赤成分光Ｒを変調し、青入力信号Ｂｉｎ（青出力信号Ｂｏｕｔ）に基づいて青成分光Ｂを変調する。液晶パネル７１ＲＢの光入射側には、第１偏光成分を有する光を透過して、第２偏光成分を有する光を遮光する入射側偏光板７２ＲＢが設けられる。一方で、液晶パネル７１ＲＢの光出射側には、第１偏光成分を有する光を透過して、第２偏光成分を有する光を遮光する出射側偏光板７３ＲＢが設けられる。
【００４１】
ここで、液晶パネル７１ＲＢは、赤成分光Ｒ及び青成分光Ｂを時分割で変調する。例えば、１つのフレームが２つのサブフレームによって構成される場合には、液晶パネル７１ＲＢは、一方のサブフレームにおいて赤成分光Ｒを変調し、他方のサブフレームにおいて青成分光Ｂを変調する。但し、液晶パネル７１ＲＢは、同一のサブフレームにおいて、赤成分光Ｒ及び青成分光Ｂを変調してもよい。
【００４２】
なお、第１実施形態において、液晶パネル７１ＲＢは、第２信号値（ここでは、赤入力信号Ｒｉｎ）に基づいて、第２色成分光（ここでは、赤成分光Ｒ）を変調するとともに、第３信号値（ここでは、青入力信号Ｂｉｎ）に基づいて、第３色成分光（ここでは、青成分光Ｂ）を変調する第２光変調素子の一例である。
【００４３】
合成部８０は、液晶パネル７１Ｇから出射される光及び液晶パネル７１ＲＢから出射される光を合成する。例えば、合成部８０は、液晶パネル７１Ｇから出射される光を反射して、液晶パネル７１ＲＢから出射される光を透過するダイクロイックプリズムである。なお、合成部８０は、液晶パネル７１Ｇから出射される光を反射して、液晶パネル７１ＲＢから出射される光を透過するダイクロイックミラーであってもよい。
【００４４】
或いは、合成部８０は、液晶パネル７１Ｇから出射される光を反射して、液晶パネル７１ＲＢから出射される光を透過するＰＢＳプリズムやＰＢＳミラーであってもよい。このようなケースでは、液晶パネル７１Ｇから出射される光の偏光は、液晶パネル７１ＲＢから出射される光の偏光と異なることに留意すべきである。
【００４５】
投写レンズユニット９０は、合成部８０から出射される光（映像光）を投写面（不図示）上などに投写する。
【００４６】
なお、光源１０、色分離部４０、偏光調整素子６０、液晶パネル７１及び入射側偏光板７２は、照明装置を構成してもよい。照明装置は、これらの素子以外にも、出射側偏光板７３や合成部８０などを含んでもよい。
【００４７】
（制御ユニットの構成）
以下において、第１実施形態に係る制御ユニットについて、図面を参照しながら説明する。図４は、第１実施形態に係る制御ユニット２００を示すブロック図である。制御ユニット２００は、投写型映像表示装置１００に設けられており、投写型映像表示装置１００を制御する。
【００４８】
なお、制御ユニット２００は、映像入力信号を映像出力信号に変換する。映像入力信号は、赤入力信号Ｒｉｎ、緑入力信号Ｇｉｎ及び青入力信号Ｂｉｎによって構成される。映像出力信号は、赤出力信号Ｒｏｕｔ、緑出力信号Ｇｏｕｔ及び青出力信号Ｂｏｕｔによって構成される。映像入力信号及び映像出力信号は、１フレームを構成する画素毎に入力される信号である。
【００４９】
図４に示すように、制御ユニット２００は、映像信号受付部２１０と、制御部２２０とを有する。
【００５０】
映像信号受付部２１０は、パーソナルコンピュータ、ＤＶＤなどの外部装置から映像入力信号を受付ける。
【００５１】
制御部２２０は、偏光調整素子６０及び液晶パネル７１に接続されており、偏光調整素子６０及び液晶パネル７１を制御する。
【００５２】
第１に、制御部２２０は、偏光調整素子６０に印加する電圧を制御することによって、液晶パネル７１ＲＢに導かれる光を制御する。詳細には、制御部２２０は、偏光調整素子６０に電圧を印加することによって、第３色成分光（ここでは、青成分光Ｂ）が液晶パネル７１ＲＢに導かれるように、偏光調整素子６０を制御する。また、制御部２２０は、偏光調整素子６０に電圧を印加しないことによって、第２色成分光（ここでは、赤成分光Ｒ）が液晶パネル７１ＲＢに導かれるように、偏光調整素子６０を制御する。
【００５３】
第２に、制御部２２０は、映像入力信号を映像出力信号に変換して、映像出力信号に基づいて、液晶パネル７１を制御する。具体的には、制御部２２０は、緑出力信号Ｇｏｕｔに基づいて、液晶パネル７１Ｇを制御する。一方で、制御部２２０は、赤出力信号Ｒｏｕｔに基づいて液晶パネル７１ＲＢを制御し、青出力信号Ｂｏｕｔに基づいて液晶パネル７１ＲＢを制御する。
【００５４】
なお、制御部２２０は、赤出力信号Ｒｏｕｔ及び青出力信号Ｂｏｕｔに基づいて、液晶パネル７１ＲＢを時分割で制御する。例えば、１つのフレームが２つのサブフレームによって構成される場合には、制御部２２０は、一方のサブフレームにおいて、赤出力信号Ｒｏｕｔに基づいて液晶パネル７１ＲＢを制御し、他方のサブフレームにおいて、青出力信号Ｂｏｕｔに基づいて、液晶パネル７１ＲＢを制御する。
【００５５】
（制御例１）
以下において、第１実施形態に係る制御例１について、図５を参照しながら説明する。図５は、第１実施形態に係る制御例１を説明するための図である。なお、図５では、合成部８０に導かれる光量（すなわち、投写型映像表示装置１００から出射される映像光の光量）が示されていることに留意すべきである。
【００５６】
図５の上段に示すように、通常モードにおいては、第１色成分光（ここでは、緑成分光Ｇ）の光量は、２つのサブフレームにおいて均等に分配される。
【００５７】
これに対して、図５の下段に示すように、特定モードにおいては、第１色成分光（ここでは、緑成分光Ｇ）の光量は、２つのサブフレームのそれぞれにおいて異なる。
【００５８】
詳細には、制御部２２０は、１つのフレームにおける総光量が変化しないように、２つのサブフレームのうち、いずれか一方のサブフレームに、緑成分光Ｇの光量が偏るように、液晶パネル７１Ｇを制御する。なお、１つのフレームにおける総光量は、緑入力信号Ｇｉｎに基づいて定まることに留意すべきである。
【００５９】
すなわち、第１光変調素子（ここでは、液晶パネル７１Ｇ）は、第１信号値（ここでは、緑入力信号Ｇｉｎ）に基づいて、２つのサブフレームのそれぞれにおいて投写型映像表示装置１００から出射される第１色成分光（ここでは、緑成分光Ｇ）の光量が変化するように、第１色成分光を変調する。
【００６０】
例えば、緑入力信号Ｇｉｎが“１５３／２５５≒６０％”である場合には、１フレーム全体において、６０％の緑成分光Ｇが出力されればよい。このようなケースにおいて、制御部２２０は、一方のサブフレームにおいて、１００％の緑成分光Ｇが出力されるように液晶パネル７１Ｇを制御する。また、制御部２２０は、他方のサブフレームにおいて、２０％の緑成分光Ｇが出力されるように液晶パネル７１Ｇを制御する。
【００６１】
このように、２つのサブフレームのうち、一方のサブフレームの輝度を低下させることによって、黒挿入のような動ボケ改善効果が得られる。
【００６２】
（制御例２）
以下において、第１実施形態に係る制御例２について、図６を参照しながら説明する。図６は、第１実施形態に係る制御例２を説明するための図である。なお、図６では、合成部８０に導かれる光量（すなわち、投写型映像表示装置１００から出射される映像光の光量）が示されていることに留意すべきである。
【００６３】
図６の上段に示すように、通常モードにおいては、第１色成分光（ここでは、緑成分光Ｇ）の光量は、２つのサブフレームにおいて均等に分配される。
【００６４】
これに対して、図６の下段に示すように、特定モードにおいては、第１色成分光（ここでは、緑成分光Ｇ）の光量は、２つのサブフレームのそれぞれにおいて異なる。
【００６５】
詳細には、制御部２２０は、１つのフレームにおける総光量が変化しないように、赤入力信号Ｒｉｎと青入力信号Ｂｉｎとの比率に基づいて、緑成分光Ｇの光量が２つのサブフレームに分配されるように、液晶パネル７１Ｇを制御する。なお、１つのフレームにおける総光量は、緑入力信号Ｇｉｎに基づいて定まることに留意すべきである。
【００６６】
すなわち、第１光変調素子（ここでは、液晶パネル７１Ｇ）は、第２信号値（ここでは、赤入力信号Ｒｉｎ）及び第３信号値（ここでは、青入力信号Ｂｉｎ）の比率に基づいて、２つのサブフレームのそれぞれにおいて投写型映像表示装置１００から出射される第１色成分光（ここでは、緑成分光Ｇ）の光量が変化するように、第１色成分光を変調する。
【００６７】
例えば、緑入力信号Ｇｉｎが“１５３／２５５≒６０％”であり、赤入力信号Ｒｉｎが“２０４／２５５≒８０％”であり、青入力信号Ｂｉｎが“５１／２５５≒２０％”である場合には、１フレーム全体において、６０％の緑成分光Ｇが出力されればよい。このようなケースにおいて、制御部２２０は、赤成分光Ｒが出力されるサブフレーム（すなわち、赤入力信号Ｒｉｎに基づいて制御されるサブフレーム）において、９６％の緑成分光Ｇが出力されるように液晶パネル７１Ｇを制御する。また、制御部２２０は、青成分光Ｂが出力されるサブフレーム（すなわち、青入力信号Ｂｉｎに基づいて制御されるサブフレーム）において、２４％の緑成分光Ｇが出力されるように液晶パネル７１Ｇを制御する。
【００６８】
これによって、１つのサブフレームにおいて、緑成分光Ｇが赤成分光Ｒ（或いは、青成分光Ｂ）よりも著しく大きいことに起因するカラーブレイクが抑制される。
【００６９】
（制御例３）
以下において、第１実施形態に係る制御例３について、図７を参照しながら説明する。図７は、第１実施形態に係る制御例３を説明するための図である。なお、図７では、合成部８０に導かれる光量（すなわち、投写型映像表示装置１００から出射される映像光の光量）が示されていることに留意すべきである。
【００７０】
図７の上段に示すように、通常モードにおいては、第１色成分光（ここでは、緑成分光Ｇ）の光量は、２つのサブフレームにおいて均等に分配される。
【００７１】
これに対して、図７の下段に示すように、特定モードにおいては、一方のサブフレームにおいて、オリジナル映像が出力され、他方のサブフレームにおいて、補間フレームが出力される。なお、オリジナル映像は、外部装置から入力されるオリジナル信号に基づいて表示される映像であり、補間映像は、オリジナル信号に基づいて生成される補間信号に基づいて表示される映像である。補間映像の生成方法は任意である。
【００７２】
詳細には、制御部２２０は、一方のサブフレームにおいて、オリジナル信号に基づいて液晶パネル７１Ｇを制御する。また、制御部２２０は、他方のサブフレームにおいて、補間信号に基づいて液晶パネル７１Ｇを制御する。
【００７３】
すなわち、第１光変調素子（ここでは、液晶パネル７１Ｇ）は、一方のサブフレームにおいて、オリジナル信号値に基づいて第１色成分光（ここでは、緑成分光Ｇ）を変調し、他方のサブフレームにおいて、補間信号値に基づいて第１色成分光（ここでは、緑成分光Ｇ）を変調する。
【００７４】
このように、２つのサブフレームのいずれかにおいて補間映像が出力されるため、動ボケ改善効果が得られる。
【００７５】
（作用及び効果）
第１実施形態では、偏光調整素子６０は、第２色成分光（赤成分光Ｒ）及び第３色成分光（青成分光Ｂ）を構成する第１偏光成分の量を調整する。すなわち、第２色成分光及び第３色成分光のそれぞれについて、入射側偏光板７２ＲＢを透過して液晶パネル７１ＲＢに導かれる光量が調整される。
【００７６】
これによって、光変調素子（液晶パネル７１）の数を減らすことができる。また、偏光調整素子６０が偏光板を有する必要がないため、さらにコストダウンを図ることができる。
【００７７】
制御例１では、第１光変調素子（液晶パネル７１Ｇ）は、第１信号値（緑入力信号Ｇｉｎ）に基づいて、２つのサブフレームのそれぞれにおいて投写型映像表示装置１００から出射される第１色成分光（緑成分光Ｇ）の光量が変化するように、第１色成分光を変調する。
【００７８】
このように、２つのサブフレームのうち、一方のサブフレームの輝度を低下させることによって、黒挿入のような動ボケ改善効果が得られる。
【００７９】
制御例２では、第１光変調素子（液晶パネル７１Ｇ）は、第２信号値（赤入力信号Ｒｉｎ）及び第３信号値（青入力信号Ｂｉｎ）の比率に基づいて、２つのサブフレームのそれぞれにおいて投写型映像表示装置１００から出射される第１色成分光（緑成分光Ｇ）の光量が変化するように、第１色成分光を変調する。
【００８０】
これによって、１つのサブフレームにおいて、緑成分光Ｇが赤成分光Ｒ（或いは、青成分光Ｂ）よりも著しく大きいことに起因するカラーブレイクが抑制される。
【００８１】
制御例３では、第１光変調素子（液晶パネル７１Ｇ）は、一方のサブフレームにおいて、オリジナル信号値に基づいて第１色成分光（緑成分光Ｇ）を変調し、他方のサブフレームにおいて、補間信号値に基づいて第１色成分光（緑成分光Ｇ）を変調する。
【００８２】
このように、２つのサブフレームのいずれかにおいて補間映像が出力されるため、動ボケ改善効果が得られる。
【００８３】
第１実施形態では、緑成分光Ｇが２つのサブフレームで出力されるため、映像の輝度が優先される。また、赤成分光Ｒ及び青成分光Ｂが時分割で出力される。赤成分光Ｒの波長帯及び青成分光Ｂの波長帯が離れているため、偏光調整素子６０が赤成分光Ｒ及び青成分光Ｂを分離することが容易である。
【００８４】
第１実施形態では、偏光調整素子６０に印加される電圧のオン／オフによって偏光を調整する特性が切り替わる波長が黄成分光Ｙｅの波長帯を跨っているため、赤成分光Ｒ又は青成分光Ｂを重畳して、映像の高輝度化を図ることができる。
【００８５】
［変更例１］
以下において、第１実施形態の変更例１について説明する。以下においては、第１実施形態に対する相違点について主として説明する。
【００８６】
第１実施形態では、第１色成分光が緑成分光Ｇであり、第２色成分光が赤成分光Ｒであり、第３色成分光が青成分光Ｂであるケースについて例示した。
【００８７】
これに対して、変更例１では、第１色成分光が赤成分光Ｒであり、第２色成分光が緑成分光Ｇであり、第３色成分光が青成分光Ｂである。変更例１では、上述した色分離部４０の構成などが第１実施形態と異なることは勿論である。
【００８８】
ここで、変更例１において、偏光調整素子６０に印加される電圧のオン／オフによって偏光を調整する特性が切り替わる波長は、図８に示すように、シアン成分光Ｃｙの波長帯に跨っている。これによって、偏光調整素子６０に電圧が印加されていない場合に、シアン成分光Ｃｙの一部（短波長側）が青成分光Ｂに重畳される。また、偏光調整素子６０に電圧が印加されている場合に、シアン成分光Ｃｙが緑成分光Ｇに重畳される。
【００８９】
なお、図８の縦軸は、偏光調整素子６０から出射される第１偏光成分の強度を示している。また、図８の横軸は、色成分光の波長を示している。
【００９０】
（作用及び効果）
変更例１では、赤成分光Ｒが２つのサブフレームで出力されるため、映像の色味が優先される。また、緑成分光Ｇ及び青成分光Ｂが時分割で出力される。緑成分光Ｇの波長帯及び青成分光Ｂの波長帯が離れているため、偏光調整素子６０が緑成分光Ｇ及び青成分光Ｂを分離することが容易である。
【００９１】
［変更例２］
以下において、第１実施形態の変更例２について説明する。以下においては、第１実施形態に対する相違点について主として説明する。
【００９２】
第１実施形態では、第１色成分光が緑成分光Ｇであり、第２色成分光が赤成分光Ｒであり、第３色成分光が青成分光Ｂであるケースについて例示した。
【００９３】
これに対して、変更例２では、第１色成分光が青成分光Ｂであり、第２色成分光が赤成分光Ｒであり、第３色成分光が緑成分光Ｇである。変更例１では、上述した色分離部４０の構成などが第１実施形態と異なることは勿論である。
【００９４】
ここで、変更例１において、偏光調整素子６０に印加される電圧のオン／オフによって偏光を調整する特性が切り替わる波長は、図９に示すように、黄成分光Ｙｅの波長帯に跨っている。これによって、偏光調整素子６０に電圧が印加されていない場合に、黄成分光Ｙｅが緑成分光Ｇに重畳される。また、偏光調整素子６０に電圧が印加されている場合に、黄成分光Ｙｅが赤成分光Ｒに重畳される。
【００９５】
なお、図９の縦軸は、偏光調整素子６０から出射される第１偏光成分の強度を示している。また、図９の横軸は、色成分光の波長を示している。
【００９６】
（作用及び効果）
変更例２では、青成分光Ｂが２つのサブフレームで出力されるため、映像の色温度が優先される。
【００９７】
変更例２では、偏光調整素子６０に印加される電圧のオン／オフによって偏光を調整する特性が切り替わる波長が黄成分光Ｙｅの波長帯を跨っているため、緑成分光Ｇに黄成分光Ｙｅを重畳して、映像の高輝度化を図ることができる。
【００９８】
［変更例３］
以下において、第１実施形態の変更例３について説明する。以下においては、第１実施形態に対する相違点について主として説明する。
【００９９】
第１実施形態では、赤入力信号Ｒｉｎに基づいて制御されるサブフレームにおいては、赤成分光Ｒが出力されており、青入力信号Ｂｉｎに基づいて制御されるサブフレームにおいては、青成分光Ｂが出力される。
【０１００】
これに対して、偏光調整素子６０は、１つのフレーム内において、第２色成分光（ここでは、赤成分光Ｒ）及び第３色成分光（ここでは、青成分光Ｂ）を構成する第１偏光成分が１つのサブフレーム内で混合されるように、偏光調整素子に入射する光の偏光を調整する。
【０１０１】
詳細には、図１０に示すように、フレーム＃１のサブフレーム１ａにおいては、赤成分光Ｒが出力されており、フレーム＃１のサブフレーム１ｂにおいては、青成分光Ｂが出力される。すなわち、フレーム＃１は、第１実施形態と同様である。
【０１０２】
これに対して、フレーム＃２のサブフレーム２ｂにおいては、青成分光Ｂに加えて、赤成分光Ｒが出力される。また、フレーム＃４のサブフレーム４ａにおいては、赤成分光Ｒに加えて、青成分光Ｂが出力される。
【０１０３】
なお、図１０では、液晶パネル７１ＲＢに導かれる光量（すなわち、入射側偏光板７２ＲＢを透過する光量）が示されていることに留意すべきである。すなわち、図１０に示す光量は、上述した図５〜図７に示す光量と異なっていることに留意すべきである。
【０１０４】
ここで、偏光調整素子６０によって第１偏光成分に調整される光量は、図１１に示すように、偏光調整素子６０に印加される電圧によって異なる。例えば、電圧Ｖ１が偏光調整素子６０に印加される場合には、上述したフレーム＃２のサブフレーム２ｂに示すように、１つのサブフレームにおいて、赤成分光Ｒ及び青成分光Ｂを構成する第１偏光成分が混合される。
【０１０５】
すなわち、上述した制御部２２０は、偏光調整素子６０に印加する電圧を制御することによって、液晶パネル７１ＲＢに導かれる赤成分光Ｒ及び青成分光Ｂの混合比を制御する。
【０１０６】
このように、赤入力信号Ｒｉｎに基づいて制御されるサブフレームにおいて、赤成分光Ｒに加えて青成分光Ｂを出力することによって、図１２に示すように、色再現範囲がマゼンタ方向に縮小するが、映像の輝度を向上することができる。同様に、青入力信号Ｂｉｎに基づいて制御されるサブフレームにおいて、青成分光Ｂに加えて赤成分光Ｒを出力することによって、図１２に示すように、色再現範囲がマゼンタ方向に縮小するが、映像の輝度を向上することができる。
【０１０７】
［変更例４］
以下において、第１実施形態の変更例４について、図面を参照しながら説明する。以下においては、第１実施形態に対する相違点について主として説明する。
【０１０８】
第１実施形態では、緑成分光Ｇが白色光から分離されるとともに、赤成分光Ｒ及び青成分光Ｂを含む合成光が白色光から分離されるケースについて例示した。
【０１０９】
これに対して、変更例４では、緑成分光Ｇ及び青成分光Ｂの一部を含む合成光が白色光から分離可能であり、赤成分光Ｒ及び青成分光Ｂの一部を含む合成光が白色光から分離可能である。
【０１１０】
変更例４においては、緑成分光Ｇは、第１色成分光の一例であり、青成分光Ｂは、第２色成分光の一例であり、赤成分光Ｒは、第３色成分光の一例である。
【０１１１】
（投写型映像表示装置の構成）
以下において、変更例４に係る投写型映像表示装置の構成について、図面を参照しながら説明する。図１３は、変更例４に係る投写型映像表示装置１００の構成を示す図である。なお、図１３では、図１と同様の構成について同様の符号を付している。
【０１１２】
図１３に示すように、投写型映像表示装置１００は、液晶パネル７１Ｇ、入射側偏光板７２Ｇ及び出射側偏光板７３Ｇに代えて、液晶パネル７１ＧＢ、入射側偏光板７２ＧＢ及び出射側偏光板７３ＧＢを有する。投写型映像表示装置１００は、分離前偏光調整素子１３０と、色分離部１４０と、偏光調整素子１６０ＲＢと、偏光調整素子１６０ＧＢとを有する。なお、色分離部１４０は、色分離部４０に代えて設けられている。
【０１１３】
分離前偏光調整素子１３０は、色分離部１４０の光入射側に設けられる。具体的には、分離前偏光調整素子１３０は、偏光調整素子６０に入射する光の偏光を波長帯毎に制御する。
【０１１４】
分離前偏光調整素子１３０は、第１色成分光（ここでは、緑成分光Ｇ）と第３色成分光（ここでは、赤成分光Ｒ）とが色分離部１４０によって異なる光路に分離されるように、第１色成分光及び第３色成分光の偏光を調整する。
【０１１５】
分離前偏光調整素子１３０は、第１色成分光（ここでは、緑成分光Ｇ）が導かれる光路及び／又は第３色成分光（ここでは、赤成分光Ｒ）が導かれる光路に第２色成分光が色分離部１４０によって分離されるように、第２色成分光（ここでは、青成分光Ｂ）の偏光を調整する。
【０１１６】
例えば、分離前偏光調整素子１３０は、緑成分光ＧをＰ偏光成分に調整し、赤成分光ＲをＳ偏光成分に調整する。また、分離前偏光調整素子１３０は、分離前偏光調整素子１３０に印加される電圧に応じて、青成分光Ｂを構成するＰ偏光成分及びＳ偏光成分の比率を調整する。例えば、分離前偏光調整素子１３０は、分離前偏光調整素子１３０に電圧が印加されている場合に、青成分光Ｂを構成するＳ偏光成分に調整する。一方で、分離前偏光調整素子１３０は、分離前偏光調整素子１３０に電圧が印加されていない場合に、青成分光Ｂを構成するＰ偏光成分に調整する。
【０１１７】
色分離部１４０は、色分離部１４０に入射する光の偏光に応じて、白色成分光を分離する。具体的には、色分離部１４０は、一方の偏光成分（例えば、Ｐ偏光成分）を透過して、他方の偏光成分（例えば、Ｓ偏光成分）を反射するＰＢＳ（Ｐｏｌａｒｉｚｅｄ  Ｂｅａｍ  Ｓｐｌｉｔｔｅｒ）である。
【０１１８】
偏光調整素子１６０ＧＢは、偏光調整素子１６０ＧＢに入射する光の偏光を波長帯毎に制御する。
【０１１９】
詳細には、偏光調整素子１６０ＧＢは、第１色成分光（ここでは、緑成分光Ｇ）を構成する第１偏光成分の量及び第２色成分光（ここでは、青成分光Ｂ）を構成する第１偏光成分の量が変わるように、偏光調整素子１６０ＧＢに入射する光の偏光を調整する。なお、第１偏光成分とは、入射側偏光板７２ＧＢを透過する偏光成分であることに留意すべきである。
【０１２０】
偏光調整素子１６０ＲＢは、第３色成分光（ここでは、赤成分光Ｒ）を構成する第１偏光成分の量及び第２色成分光（ここでは、青成分光Ｂ）を構成する第１偏光成分の量が変わるように、偏光調整素子１６０ＲＢに入射する光の偏光を調整する。なお、第１偏光成分とは、入射側偏光板７２ＲＢを透過する偏光成分であることに留意すべきである。
【０１２１】
液晶パネル７１ＧＢは、緑入力信号Ｇｉｎ（緑出力信号Ｇｏｕｔ）に基づいて緑成分光Ｇを変調し、青入力信号Ｂｉｎ（青出力信号Ｂｏｕｔ）に基づいて青成分光Ｂを変調する。液晶パネル７１ＧＢの光入射側には、第１偏光成分を有する光を透過して、第２偏光成分を有する光を遮光する入射側偏光板７２ＧＢが設けられる。一方で、液晶パネル７１ＧＢの光出射側には、第１偏光成分を有する光を透過して、第２偏光成分を有する光を遮光する出射側偏光板７３ＧＢが設けられる。
【０１２２】
変更例４では、分離前偏光調整素子１３０によって青成分光Ｂの偏光を調整することによって、偏光調整素子１６０ＧＢに導かれる青成分光Ｂと偏光調整素子１６０ＲＢに導かれる青成分光Ｂとの比率を調整することができる。
【０１２３】
また、偏光調整素子１６０ＧＢによって緑成分光Ｇ及び青成分光Ｂの偏光を調整することによって、液晶パネル７１ＧＢに導かれる緑成分光Ｇと青成分光Ｂとの比率を調整することができる。同様に、偏光調整素子１６０ＲＢによって赤成分光Ｒ及び青成分光Ｂの偏光を調整することによって、液晶パネル７１ＲＢに導かれる赤成分光Ｒと青成分光Ｂとの比率を調整することができる。
【０１２４】
従って、映像の色バランスに応じて、１フレーム内において、液晶パネル７１に導かれる赤成分光Ｒ、緑成分光Ｇ及び青成分光Ｂの光量を任意に調整することが可能である。
【０１２５】
（制御例）
以下において、変更例４に係る制御例について、図１４を参照しながら説明する。図１４は、変更例４に係る制御例を説明するための図である。なお、図１４では、液晶パネル７１に導かれる光量（すなわち、入射側偏光板７２を透過する光量）が示されていることに留意すべきである。
【０１２６】
上述したように、分離前偏光調整素子１３０、偏光調整素子１６０ＧＢ及び偏光調整素子１６０ＲＢによって、液晶パネル７１に導かれる赤成分光Ｒ、緑成分光Ｇ及び青成分光Ｂの光量を任意に調整することが可能である。
【０１２７】
従って、例えば、図１４に示すように、１つのフレーム内において、赤成分光Ｒ、緑成分光Ｇ及び青成分光Ｂが出射されるサブフレームの組み合わせを任意に変更することができる。
【０１２８】
詳細には、フレーム＃１のように、緑成分光Ｇが出力されるサブフレーム数を２つにして、赤成分光Ｒ（或いは、青成分光Ｂ）が出力されるサブフレーム数を１つにしてもよい。また、フレーム＃２のように、赤成分光Ｒが出力されるサブフレーム数を２つにして、緑成分光Ｇ（或いは、青成分光Ｂ）が出力されるサブフレーム数を１つにしてもよい。さらに、フレーム＃３のように、緑成分光Ｇ（或いは、赤成分光Ｒ）が出力されるサブフレーム数を２つにして、青成分光Ｂが出力されるサブフレーム数を０にしてもよい。
【０１２９】
なお、図１４では、説明を簡略化するために、１つのサブフレームで出力される色成分光が１色であるケースについて例示したが、１つのサブフレームで出力される色成分光が２色であってもよい。
【０１３０】
（他の制御例）
以下において、変更例４に係る他の制御例について、図１５を参照しながら説明する。図１５は、変更例４に係る他の制御例を説明するための図である。なお、図１５では、液晶パネル７１に導かれる光量（すなわち、入射側偏光板７２を透過する光量）が示されていることに留意すべきである。
【０１３１】
他の制御例では、偏光調整素子１６０ＧＢ及び偏光調整素子１６０ＲＢのいずれか一方が設けられるケースについて説明する。ここでは、偏光調整素子１６０ＲＢのみが設けられているケースについて例示する。
【０１３２】
上述したように、分離前偏光調整素子１３０によって、緑成分光Ｇの光路に導かれる青成分光Ｂと赤成分光Ｒの光路に導かれる青成分光Ｂとの比率が調整される。
【０１３３】
従って、例えば、図１５に示すように、サブフレーム毎に、青成分光Ｂの重畳量を調整することが可能である。
【０１３４】
詳細には、フレーム＃１のように、青成分光Ｂの全てを赤成分光Ｒの光路に導いた上で、赤成分光Ｒが出力されるサブフレームと青成分光Ｂが出力されるサブフレームとが切り替えられてもよい。
【０１３５】
サブフレーム＃２のサブフレーム２ａのように、青成分光Ｂの全てを緑成分光Ｇの光路に導いた上で、青成分光Ｂが緑成分光Ｇに重畳されてもよい。サブフレーム＃２のサブフレーム２ｂのように、緑成分光Ｇ及び赤成分光Ｒの光路に青成分光Ｂを分離した上で、青成分光Ｂが緑成分光Ｇに重畳されるとともに、青成分光Ｂが単独で出力されてもよい。
【０１３６】
サブフレーム＃２のサブフレーム３ａのように、緑成分光Ｇ及び赤成分光Ｒの光路に青成分光Ｂを分離した上で、青成分光Ｂが緑成分光Ｇに重畳されるとともに、青成分光Ｂが出力されなくてもよい。
【０１３７】
［変更例５］
以下において、第１実施形態の変更例５について、図面を参照しながら説明する。以下においては、第１実施形態に対する相違点について主として説明する。
【０１３８】
第１実施形態では、偏光調整素子６０が１枚の液晶パネルによって構成されるケースについて例示した。変更例５では、偏光調整素子６０は、例えば、２枚の液晶パネルによって構成されている。言い換えると、変更例５では、偏光調整素子６０は、第２色成分光（赤成分光Ｒ）を構成する第１偏光成分及び第３色成分光（青成分光Ｂ）を構成する第１偏光成分を独立して制御する。
【０１３９】
以下においては、液晶パネル７１の駆動周波数が１２０Ｈｚであるケースを例示する。また、１つのフレームは、２つのサブフレームによって構成される。また、液晶パネル７１は、サブフレーム間の混色を避けるために、上述した制御部２２０は、映像出力信号に応じて映像データをフレームバッファに書き込む期間（すなわち、サブフレームの切替え）において、液晶パネル７１（特に、液晶パネル７１ＲＢ）から光が出射されないように液晶パネル７１を制御する。
【０１４０】
なお、赤出力信号Ｒｏｕｔに基づいて液晶パネル７１ＲＢを制御すべき期間において、青成分光Ｂが液晶パネル７１ＲＢから出射されると、サブフレーム間の混色が生じる。同様に、青出力信号Ｂｏｕｔに基づいて液晶パネル７１ＲＢを制御すべき期間において、赤成分光Ｒが液晶パネル７１ＲＢから出射されると、サブフレーム間の混色が生じる。
【０１４１】
変更例５において、制御部２２０は、第１光変調素子（液晶パネル７１Ｇ）から出射される第１色成分光（緑成分光Ｇ）の光量、第２光変調素子（液晶パネル７１ＲＢ）から出射される第２色成分光（赤成分光Ｒ）の光量及び第２光変調素子（液晶パネル７１ＲＢ）から出射される第３色成分光（青成分光Ｂ）の光量を制御する光量制御部を構成する。
【０１４２】
（通常制御例）
以下において、通常制御例について図１６〜図１８を参照しながら説明する。第１に、図１６に示すように、制御部２２０は、サブフレームの切替えにおいて、液晶パネル７１Ｇ及び液晶パネル７１ＲＢから光が出射されない期間（黒表示期間）を設ける。言い換えると、制御部２２０は、映像出力信号に応じて映像データをフレームバッファに書き込む期間において、液晶パネル７１Ｇ及び液晶パネル７１ＲＢから光が出射されないように、液晶パネル７１Ｇ及び液晶パネル７１ＲＢを制御する。或いは、制御部２２０は、映像出力信号に応じて映像データをフレームバッファに書き込む期間において、液晶パネル７１ＲＢに光が照射されないように、偏光調整素子６０を制御してもよい。
【０１４３】
ここで、緑成分光Ｇについては、サブフレーム間の混色が生じないため、図１７に示すように、液晶パネル７１Ｇに緑成分光Ｇが常に出射されてもよい。しかしながら、赤成分光Ｒ及び青成分光Ｂの光量に比べて、緑成分光Ｇの光量が大き過ぎる。
【０１４４】
従って、図１８に示すように、液晶パネル７１Ｇから緑成分光Ｇが出射される期間は、液晶パネル７１ＲＢから赤成分光Ｒ及び青成分光Ｂが出射される期間に応じて定められる。このように、通常制御例では、赤成分光Ｒ及び青成分光Ｂの光量が制約条件となってしまい、十分な高輝度化を図ることができない。
【０１４５】
（高輝度制御例１）
以下において、変更例５に係る高輝度制御例１について図１９〜図２１を参照しながら説明する。
【０１４６】
第１に、制御部２２０は、映像入力信号に基づいて、フレームで表示すべき映像の色度を算出する。続いて、制御部２２０は、赤及び青を結ぶライン上において色再現範囲を縮小可能であるか否かを判定する。例えば、制御部２２０は、フレームで表示すべき映像において、赤或いは青の彩度の代表値が閾値以下である場合に、赤及び青を結ぶライン上において色再現範囲を縮小可能であると判定する。彩度の代表値としては、フレームで表示すべき映像に含まれる彩度の最大値又は平均値を用いることが可能である。
【０１４７】
制御部２２０は、赤及び青を結ぶライン上において赤側の色再現範囲を縮小可能であると判定した場合には、図２０に示すように、赤出力信号Ｒｏｕｔに基づいて液晶パネル７１ＲＢを制御すべき期間において、赤成分光Ｒに加えて青成分光Ｂが液晶パネル７１ＲＢから出射されるように、偏光調整素子６０を制御する。すなわち、制御部２２０は、赤出力信号Ｒｏｕｔに基づいて液晶パネル７１ＲＢを制御すべき期間において、青成分光Ｂに含まれる第１偏光成分（図２０に示すＢ１（例えば、２０％））が増大するように偏光調整素子６０を制御する。
【０１４８】
同様に、制御部２２０は、赤及び青を結ぶライン上において青側の色再現範囲を縮小可能であると判定した場合には、図２０に示すように、青出力信号Ｂｏｕｔに基づいて液晶パネル７１ＲＢを制御すべき期間において、青成分光Ｂに加えて赤成分光Ｒが液晶パネル７１ＲＢから出射されるように、偏光調整素子６０を制御する。すなわち、制御部２２０は、青出力信号Ｂｏｕｔに基づいて液晶パネル７１ＲＢを制御すべき期間において、赤成分光Ｒに含まれる第１偏光成分（図２０に示すＲ１（例えば、２０％））が増大するように偏光調整素子６０を制御する。
【０１４９】
さらに、制御部２２０は、図２１に示すように、図１９に対して追加された赤成分光Ｒ及び青成分光Ｂの光量（図２１に示すＲ１（例えば、２０％）及びＢ１（例えば、２０％））に応じて、液晶パネル７１Ｇから出射される緑成分光Ｇの光量（図２１に示すＧ１（例えば、２０％＋２０％＝４０％））を増大する。これによって、赤成分光Ｒ、緑成分光Ｇ及び青成分光Ｂの光量バランスが維持される。
【０１５０】
ここで、図１９に対して追加された赤成分光Ｒの光量Ｒ１は、図１９に対して追加された青成分光Ｂの光量Ｂ１と同様であることが好ましい。また、緑成分光Ｇの光量Ｇ１は、図１９に対して追加された赤成分光Ｒの光量Ｒ１及び青成分光Ｂの光量Ｂ１に応じて決定されることが好ましい。
【０１５１】
なお、制御部２２０は、例えば、液晶パネル７１Ｇから緑成分光Ｇが出射される期間を増大する。なお、図１９は、上述した図１８と同様であることに留意すべきである。
【０１５２】
このように、高輝度制御例１では、赤成分光Ｒ及び青成分光Ｂの光量（図２１に示すＲ１及びＢ１）の追加によって、図２２に示すように、色再現範囲がマゼンタ方向に縮小するが、赤成分光Ｒ、緑成分光Ｇ及び青成分光Ｂの光量（図２１に示すＲ１、Ｇ１、及びＢ１）の追加によって、映像の高輝度化を図ることができる。
【０１５３】
（高輝度制御例２）
以下において、変更例５に係る高輝度制御例２について図２３〜図２５を参照しながら説明する。
【０１５４】
第１に、制御部２２０は、映像入力信号に基づいて、フレームで表示すべき映像の色度を算出する。続いて、制御部２２０は、赤及び青を結ぶライン上の各色について緑側に色再現範囲を縮小可能であるか否かを判定する。例えば、制御部２２０は、フレームで表示すべき映像において、赤及び青を結ぶライン上の各色の彩度の代表値が閾値以下である場合に、色再現範囲を縮小可能であると判定する。彩度の代表値としては、フレームで表示すべき映像に含まれる彩度の最大値又は平均値を用いることが可能である。
【０１５５】
制御部２２０は、赤側の色再現範囲を縮小可能であると判定した場合には、図２４に示すように、赤出力信号Ｒｏｕｔに基づいて液晶パネル７１ＲＢを制御すべき期間において、赤成分光Ｒに加えて青成分光Ｂが液晶パネル７１ＲＢから出射されるように、偏光調整素子６０を制御する。すなわち、制御部２２０は、赤出力信号Ｒｏｕｔに基づいて液晶パネル７１ＲＢを制御すべき期間において、青成分光Ｂに含まれる第１偏光成分（図２４に示すＢ１（例えば、２０％））が増大するように偏光調整素子６０を制御する。
【０１５６】
同様に、制御部２２０は、青側の色再現範囲を縮小可能であると判定した場合には、図２４に示すように、青出力信号Ｂｏｕｔに基づいて液晶パネル７１ＲＢを制御すべき期間において、青成分光Ｂに加えて赤成分光Ｒが液晶パネル７１ＲＢから出射されるように、偏光調整素子６０を制御する。すなわち、制御部２２０は、青出力信号Ｂｏｕｔに基づいて液晶パネル７１ＲＢを制御すべき期間において、赤成分光Ｒに含まれる第１偏光成分（図２４に示すＲ１（例えば、２０％））が増大するように偏光調整素子６０を制御する。
【０１５７】
高輝度制御例２では、制御部２２０は、図２４に示すように、図２３に対して追加された赤成分光Ｒ及び青成分光Ｂの光量（図２４に示すＲ１及びＢ１）に応じて、液晶パネル７１Ｇから出射される緑成分光Ｇの光量（図２４に示すＧ２及びＧ３）を増大する。
【０１５８】
具体的には、制御部２２０は、赤側において緑側に縮小可能な色再現範囲に応じて、赤出力信号Ｒｏｕｔに基づいて液晶パネル７１ＲＢを制御すべき期間において、液晶パネル７１Ｇから出射される緑成分光Ｇの光量（図２４に示すＧ２（例えば、２０％））を増大する。同様に、制御部２２０は、青側において緑側に縮小可能な色再現範囲に応じて、青出力信号Ｂｏｕｔに基づいて液晶パネル７１ＲＢを制御すべき期間において、液晶パネル７１Ｇから出射される緑成分光Ｇの光量（図２４に示すＧ３（例えば、４０％））を増大する。
【０１５９】
さらに、制御部２２０は、図２５に示すように、図２３に対して追加された赤成分光Ｒ及び青成分光Ｂの光量（図２５に示すＲ１（例えば、２０％）及びＢ１（例えば、２０％））に応じて、液晶パネル７１Ｇから出射される緑成分光Ｇの光量（図２５に示すＧ１（例えば、２０％＋２０％＝４０％））を増大する。これによって、赤成分光Ｒ、緑成分光Ｇ及び青成分光Ｂの光量バランスが維持される。
【０１６０】
ここで、図２３に対して追加された赤成分光Ｒの光量Ｒ１は、図２３に対して追加された青成分光Ｂの光量Ｂ１と同様であることが好ましい。また、緑成分光Ｇの光量Ｇ１は、図２３に対して追加された赤成分光Ｒの光量Ｒ１及び青成分光Ｂの光量Ｂ１に応じて決定されることが好ましい。
【０１６１】
このように、高輝度制御例２では、赤成分光Ｒ、緑成分光Ｇ及び青成分光Ｂの光量（図２５に示すＲ１、Ｇ２、Ｇ３及びＢ１）の追加によって、図２６に示すように、色再現範囲がマゼンタ方向及び緑方向に縮小するが、赤成分光Ｒ、緑成分光Ｇ及び青成分光Ｂの光量（図２５に示すＲ１、Ｇ１、Ｇ２、Ｇ３及びＢ１）の追加によって、映像の高輝度化を図ることができる。
【０１６２】
［変更例６］
以下において、第１実施形態の変更例６について、図面を参照しながら説明する。以下においては、変更例５に対する相違点について主として説明する。
【０１６３】
変更例５では、制御部２２０は、偏光調整素子６０の制御によって、赤成分光Ｒ及び青成分光Ｂの光量（Ｒ１及びＢ１）を追加する。また、制御部２２０は、液晶パネル７１Ｇから緑成分光Ｇが出射される期間の増大によって、緑成分光Ｇの光量（Ｇ１、Ｇ１’及びＧ１’’）を追加する。
【０１６４】
これに対して、変更例６では、制御部２２０は、図２７に示すように、γカーブの補正によって、赤成分光Ｒ、緑成分光Ｇ及び青成分光Ｂの光量を追加する。なお、γカーブは、映像入力信号と映像出力信号との対応関係を示すカーブであり、映像入力信号を映像出力信号に変換するために用いられる。
【０１６５】
詳細には、赤成分光Ｒの追加光量（Ｒ１）が青成分光Ｂの追加光量（Ｂ１）と異なるケースが考えられる。このようなケースでは、赤出力信号Ｒｏｕｔに基づいて液晶パネル７１ＲＢを制御すべき期間において液晶パネル７１ＲＢから出射される光量が青出力信号Ｂｏｕｔに基づいて液晶パネル７１ＲＢを制御すべき期間において液晶パネル７１ＲＢから出射される光量と異なる。従って、このようなアンバランスを解消するために、γカーブの補正によって、サブフレーム間の光量のバランスをとることが可能である。
【０１６６】
例えば、青成分光Ｂの光量（Ｂ１）が２０％であり、赤成分光Ｒの追加光量（Ｒ１）が０％であるケースでは、赤出力信号Ｒｏｕｔに基づいて液晶パネル７１ＲＢを制御すべき期間において液晶パネル７１ＲＢから出射される光量は増大するが、青出力信号Ｂｏｕｔに基づいて液晶パネル７１ＲＢを制御すべき期間において液晶パネル７１ＲＢから出射される光量は増大しない。従って、青出力信号Ｂｏｕｔに基づいて液晶パネル７１ＲＢを制御すべき期間において、制御部２２０は、γカーブを補正して、サブフレーム間の光量のバランスを取る。
【０１６７】
［変更例７］
以下において、第１実施形態の変更例７について、図面を参照しながら説明する。以下においては、第１実施形態に対する相違点について主として説明する。
【０１６８】
第１実施形態では、光変調素子として、透過型の液晶パネルを用いるケースについて例示した。これに対して、変更例７では、光変調素子として、反射型の液晶パネル（例えば、ＬＣＯＳ；Ｌｉｑｕｉｄ  Ｃｒｙｓｔａｌ  ｏｎ  Ｓｉｌｉｃｏｎ）を用いる。
【０１６９】
（投写型映像表示装置の構成）
以下において、変更例７に係る投写型映像表示装置の構成について、図面を参照しながら説明する。図２８は、変更例７に係る投写型映像表示装置１００の構成を示す図である。なお、図２８では、図１と同様の構成について同様の符号を付していることに留意すべきである。
【０１７０】
図２８に示すように、投写型映像表示装置１００は、光源１０と、フライアイレンズ２０と、ＰＢＳアレイ３０と、カラースイッチ３２０と、偏光調整素子３６０と、１対の反射型液晶パネル３７１（反射型液晶パネル３７１Ｇ、反射型液晶パネル３７１ＲＢ）と、分離合成素子３８０と、投写レンズユニット９０とを有する。また、投写型映像表示装置１００は、必要なレンズ群（レンズ１１１）を有する。
【０１７１】
カラースイッチ３２０は、特定の波長帯を有する光の偏光を９０°回転する。ここでは、カラースイッチ３２０は、赤成分光Ｒ及び青成分光Ｂの偏光を９０°回転して、赤成分光Ｒ及び青成分光Ｂを透過する。一方で、カラースイッチ３２０は、緑成分光Ｇの偏光を回転せずに、緑成分光Ｇを透過する。
【０１７２】
偏光調整素子３６０は、偏光調整素子６０と同様に、第２色成分光（ここでは、赤成分光Ｒ）及び第３色成分光（ここでは、青成分光Ｂ）を含む合成光の光路上に設けられる。具体的には、偏光調整素子６０は、偏光調整素子６０に入射する光の偏光を波長帯毎に制御する。
【０１７３】
反射型液晶パネル３７１Ｇは、液晶パネル７１Ｇと同様に、緑入力信号Ｇｉｎ（緑出力信号Ｇｏｕｔ）に基づいて緑成分光Ｇを変調する。なお、反射型液晶パネル３７１Ｇは、例えば、ＬＣＯＳである。
【０１７４】
反射型液晶パネル３７１ＲＢは、液晶パネル７１ＲＢと同様に、赤入力信号Ｒｉｎ（赤出力信号Ｒｏｕｔ）に基づいて赤成分光Ｒを変調し、青入力信号Ｂｉｎ（青出力信号Ｂｏｕｔ）に基づいて青成分光Ｂを変調する。なお、反射型液晶パネル３７１ＲＢは、例えば、ＬＣＯＳである。
【０１７５】
分離合成素子３８０は、赤成分光Ｒ及び青成分光Ｂを含む合成光と緑成分光Ｇとを分離する。また、分離合成素子３８０は、赤成分光Ｒ及び青成分光Ｂを含む合成光と緑成分光Ｇとを合成する。なお、分離合成素子３８０は、例えば、ＰＢＳキューブである。
【０１７６】
詳細には、分離合成素子３８０は、カラースイッチ３２０から出射されたＳ偏光の緑成分光Ｇを反射型液晶パネル３７１Ｇ側に反射する。分離合成素子３８０は、カラースイッチ３２０から出射されたＰ偏光の赤成分光Ｒ及び青成分光Ｂを反射型液晶パネル３７１ＲＢ側に透過する。
【０１７７】
また、分離合成素子３８０は、反射型液晶パネル３７１Ｇから出射されたＰ偏光の緑成分光Ｇを投写レンズユニット９０側に透過する。分離合成素子３８０は、反射型液晶パネル３７１ＲＢから出射されたＳ偏光の赤成分光Ｒ及び青成分光Ｂを投写レンズユニット９０側に反射する。
【０１７８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１７９】
実施形態では特に触れていないが、偏光調整素子６０、偏光調整素子１６０ＧＢ及び偏光調整素子１６０ＲＢは、１枚の液晶パネルによって構成されていてもよい。或いは、偏光調整素子６０、偏光調整素子１６０ＧＢ及び偏光調整素子１６０ＲＢは、２枚の液晶パネルによって構成されていてもよい。このようなケースでは、２色の色成分光を構成する第１偏光成分の量を独立で制御することが可能である。
【０１８０】
実施形態では特に触れていないが、単色の色成分光を変調する液晶パネル７１Ｇの駆動周波数（例えば、６０Ｈｚ）は、複数色の色成分光を変調する液晶パネル７１ＲＢの駆動周波数（例えば、１２０Ｈｚ）よりも低くてもよい。
【０１８１】
実施形態では特に触れていないが、単色の色成分光を変調する液晶パネル７１Ｇの解像度は、複数色の色成分光を変調する液晶パネル７１ＲＢの解像度よりも低くてもよい。なお、液晶パネル７１Ｇは、２つのサブフレームにおいて緑成分光Ｇを変調するため、例えば、制御例３のように、補間映像の表示によって、低解像度を補うことが可能である。
【０１８２】
第１実施形態では特に触れていないが、制御例１〜制御例３は、映像入力信号に基づいて切り替えられてもよい。例えば、映像入力信号に基づいて特定される動きベクトルに基づいて、制御例１〜制御例３の中から適切な制御例が選択される。或いは、映像入力信号に基づいて特定される映像の色バランスに基づいて、制御例１〜制御例３の中から適切な制御例が選択される。
【０１８３】
変更例４では特に触れていないが、ＭａｃＡｄａｍの楕円によれば、短波長側の光が混ざっても、人間は色の変化を認識しにくいことが知られている。従って、他の色成分光に重畳される第２色成分光は青成分光Ｂであることが好ましい。
【符号の説明】
【０１８４】
１０…光源、２０…フライアイレンズ、３０…ＰＢＳアレイ、４０…色分離部、５０…ミラー、６０…偏光調整素子、７１…液晶パネル、７２…入射側偏光板、７３…出射側偏光板、８０…合成部、９０…投写レンズユニット、１００…投写型映像表示装置、１１１〜１１３…レンズ、１３０…分離前偏光調整素子、１４０…色分離部、１６０ＧＢ…偏光調整素子、１６０ＲＢ…偏光調整素子、２００…制御ユニット、２１０…映像信号受付部、２２０…制御部、３２０…カラースイッチ、３６０…偏光調整素子、３７１…反射型液晶パネル、３８０…分離合成素子
【図１】
2012237962.tif 000003
【図２】
2012237962.tif 000004
【図３】
2012237962.tif 000005
【図４】
2012237962.tif 000006
【図５】
2012237962.tif 000007
【図６】
2012237962.tif 000008
【図７】
2012237962.tif 000009
【図８】
2012237962.tif 000010
【図９】
2012237962.tif 000011
【図１０】
2012237962.tif 000012
【図１１】
2012237962.tif 000013
【図１２】
2012237962.tif 000014
【図１３】
2012237962.tif 000015
【図１４】
2012237962.tif 000016
【図１５】
2012237962.tif 000017
【図１６】
2012237962.tif 000018
【図１７】
2012237962.tif 000019
【図１８】
2012237962.tif 000020
【図１９】
2012237962.tif 000021
【図２０】
2012237962.tif 000022
【図２１】
2012237962.tif 000023
【図２２】
2012237962.tif 000024
【図２３】
2012237962.tif 000025
【図２４】
2012237962.tif 000026
【図２５】
2012237962.tif 000027
【図２６】
2012237962.tif 000028
【図２７】
2012237962.tif 000029
【図２８】
2012237962.tif 000030